(57)【要約】【課題】開口部が小さいにもかかわらず、採光性および通風性の低下が少ない狭小住宅に適した窓構造を提供する。【解決手段】狭小住宅に適用される窓構造Ｋであって、窓が小窓化されてなるものである。この窓構造Ｋにおいては、開口部１の高さ位置が、大人の頭の位置程度とされ、開口部１がセットバックされてなるものである。その場合、開口部１が末広がり状とされてなるのが好ましく、末広がり状とされた斜面が反射面２とされてなるのがさらに好ましい。【選択図】図１
2015001106.tif 000002
【特許請求の範囲】
【請求項１】
狭小住宅に適用される窓構造であって、窓が小窓化されてなることを特徴とする窓構造。
【請求項２】
開口部がセットバックされてなることを特徴とする請求項１記載の窓構造。
【請求項３】
開口部が末広がり状とされてなることを特徴とする請求項２記載の窓構造。
【請求項４】
末広がり状とされた斜面が反射面とされてなることを特徴とする請求項３記載の窓構造。
【請求項５】
窓が縦すべり窓とされ、ガラス障子が左右いずれの側にも寄せて開くようにされてなることを特徴とする請求項１記載の窓構造。
【請求項６】
開口部の高さ位置が、大人の頭の位置程度とされてなるとを特徴とする請求項１記載の窓構造。
【発明の詳細な説明】
【技術分野】
【０００１】
本発明は狭小住宅に適した窓構造に関する。さらに詳しくは、開口部が小さいにもかかわらず、採光性および通風性の低下が少ない狭小住宅に適した窓構造に関する。
【背景技術】
【０００２】
従来より、住宅においては採光や通気のために窓が設けられている。
【０００３】
しかるに、この窓にはガラスを嵌め込んだガラス障子が用いられているところから、断熱性に劣るという問題がある。また、窓は通常は相当の大きさを有し、しかも嵌め込まれているガラスは一般的には透明ガラスとされているところから、ブラシバシー保護上の問題もある。さらに、窓からの強盗や泥棒などが進入するおそれもある。とりわけ、都市部における住宅密集地においては、この問題は顕著である。
【０００４】
そのため、開口部が小さいにもかかわらず、採光性および通風性の低下が少ない窓構造の出現に期待がかけられている。
【０００５】
なお、浴室の窓構造については、特許文献１に提案がなされている。
【先行技術文献】
【特許文献】
【０００６】
【特許文献１】特開２００１−１６４７７２号公報
【発明の開示】
【発明が解決しようとする課題】
【０００７】
本発明はかかる従来技術の課題に鑑みなされたものであって、開口部が小さいにもかかわらず、採光性および通風性の低下が少ない狭小住宅に適した窓構造を提供することを目的としている。
【課題を解決するための手段】
【０００８】
本発明の窓構造は、狭小住宅に適用される窓構造であって、窓が小窓化されてなることを特徴とする。
【０００９】
本発明の窓構造においては、開口部がセットバックされていてもよい。その場合、開口部が末広がり状とされてなるのが好ましく、末広がり状とされた斜面が反射面とされてなるのがさらに好ましい。
【００１０】
また、本発明の窓構造においては、窓が縦すべり窓とされ、ガラス障子が左右いずれの側にも寄せて開くようにされてもよい。
【００１１】
また、本発明の窓構造においては、開口部の高さ位置が、大人の頭の位置程度とされてなるのが好ましい。
【発明の効果】
【００１２】
本発明の窓構造は、前記のごとく構成されているので、開口部が小さいにもかかわらず、採光性および通風性の低下が少ないという優れた効果を奏する。
【図面の簡単な説明】
【００１３】
【図１】本発明の実施形態１に係る窓構造の概略縦断面図である。
【図２】本発明の実施形態２に係る窓構造の概略横断面図である。
【図３】同実施形態の窓構造の機能説明図である。
【発明を実施するための形態】
【００１４】
以下、添付図面を参照しながら本発明を実施形態に基づいて説明するが、本発明はかかる実施形態のみに限定されるものではない。
【００１５】
実施形態１
図１に、本発明の実施形態１に係る窓構造Ｋを概略縦断面図で示す。
【００１６】
窓構造Ｋは、図１に示すように、開口部１を室内側に一定距離セットバックさせるとともに、開口部１の縦方向および横方向の幅をそれぞれ従来の窓の半分程度としてなるものとされる。以下、本明細書においては、このように従来の窓に比して小さくされた窓を「小窓」ということにするとともに、窓を小窓とすることを「小窓化」ということにする。また、本明細書では、「セットバック」とは、前述したように、窓の開口部を壁面から室内側に一定距離後退させることをいう。
【００１７】
開口部１の高さ位置は、防犯上などの観点から大人の頭の位置程度に調整されている。
しかも、開口部１をセットバックさせたことによる採光性および通気性の低下を抑えるため、開口部１から外壁までは末広がり状とされている。なお、採光性の向上を図るため、末広がり状とされた斜面は反射面２とされるのが好ましい。
【００１８】
ガラス障子３は、従来の窓と同様に引違戸とされて左右に開閉自在とされている。
【００１９】
なお、図示例においては、セットバックされた窓の下部は、収納庫４とされている。
【００２０】
このように、本実施形態によれば、開口部１が小さくされて窓が小窓化されているもかかわらず、採光性および通風性の低下が少ない。また、開口部１が小さく、しかも開口部１の位置が大人の頭の位置程度に調整されているので、プライバシーの保護が図られるとともに、防犯性が向上する。
【００２１】
また、末広がり状とされた斜面は反射面２とされているので、反射面２で乱反射した光が室内に進入するので、採光性が向上する。
【００２２】
実施形態２
図２に、本発明の実施形態２に係る窓構造を概略横断面図で示す。
【００２３】
窓構造Ｋは、図２に示すように、２枚のガラス障子６，６を備え、２枚のガラス障子６，６がオープンに開くようにされてなるものとされる。ここで、ガラス障子６の幅は、従来の窓のガラス障子の半分程度とされて窓が小窓化されている。なお、図中、図１と同一の符号を付したものは、同一または類似の構成要素を示す。
【００２４】
また、図３に示すように、２枚のガラス障子６，６は、ガラス障子６，６が縦すべり窓のガラス障子のように、各方のいずれにも寄せて開くようにされてなるものとされる。なお、従来の縦すべり窓のガラス障子は、一方にのみ寄せて開くようにされている。
【００２５】
本実施形態においては、ガラス障子６，６がいずれの側にも寄せて開くことができるので、図３（ａ）に示すように、図中の左よりの風に対しては、ガラス障子６，６を右側に寄せて開くようにすると、風はガラス障子６，６に当たって方向が変えられて室内に進入する。一方、図３（ｂ）に示すように、図中の右よりの風に対しては、ガラス障子６，６を左側に寄せて開くようにすると、風はガラス障子に当たって方向が変えられて室内に進入する。
【００２６】
また、本実施形態においては、図示はされていないが、風速および風向を検出する風速・風向センサを設けて風速および風向を自動的に検知し、風が強すぎる場合には、風向きに対してガラス障子が９０度となるようにする角度調整機構が備えられていて、ガラス障子６，６のバタツキが生じないようにされている。また、風量を微調整するようガラス障子の開閉角度が自動調整されるようにされている。
【００２７】
このように、本実施形態では、左右いずれの方向からの風でも室内に取り込むことができるので、ガラス障子６，６の幅を従来の半分程度としても通気性が低下するおそれは少ない。
【００２８】
以上、本発明を実施形態に基づいて説明してきたが、本発明はかかる実施形態のみに限定されるものではなく、種々改変が可能である。
【００２９】
例えば、ガラス障子のガラスは、防盗性を向上させる観点からラミネートガラスとすることもできる。
【産業上の利用可能性】
【００３０】
本発明は住宅産業に適用できる。
【符号の説明】
【００３１】
Ｋ        窓構造
１        開口部
２        反射面
３        ガラス障子
４        収納庫
６        ガラス障子
【図１】
2015001106.tif 000003
【図２】
2015001106.tif 000004
【図３】
2015001106.tif 000005